(57)【特許請求の範囲】
【請求項１】
水耕植物栽培装置であって、
流体を保持するための容器であって、前記容器が、ベース及びカバーを有し、前記ベースが上縁部を有し、前記カバーが、下縁部及び上部開口部を有し、前記上部開口部は前記下縁部から垂直方向にずれており、前記カバーの前記下縁部は、前記ベースの前記上縁部と取り外し可能に係合することができる、容器と、
中空内部を有する植え付け柱であって、前記植え付け柱は、前記容器のカバー内の前記上部開口部と取り外し可能に係合することができる、植え付け柱と、
前記植え付け柱の前記中空内部に少なくとも部分的に植物を受け入れるために、前記植え付け柱内に画定された少なくとも１つの植え付けポートと、
前記植え付け柱の前記中空内部を通り抜ける導管であって、前記植え付け柱が前記カバー内で前記上部開口と係合しているときに、前記導管は前記容器と流体連通している、導管と、
前記植え付け柱の頂部と取り外し可能に係合することができる流体分配器であって、前記流体分配器が前記植え付け柱の頂部と係合しているときに、前記導管と流体連通している流体分配器と、
前記容器内に位置付けられているポンプと、
前記カバー内で前記ポンプから前記上部開口部まで延在している供給線と、
前記カバー内で、前記上部開口部内に位置付けられ、前記上部開口部から下向きに延在している流体カプラであって、前記植え付け柱が前記カバー内で前記上部開口部と係合しているときに、前記流体カプラは、前記供給線を前記導管に流体連結するように構成されおり、前記流体カプラは前記カバーの前記下縁部より下に延在していない、流体カプラと、を備え、
前記カバーが前記ベースと係合しているとともに、前記流体分配器が前記植え付け柱と係合しているときに、前記流体が、前記容器から前記植え付け柱内の前記導管を通って前記流体分配器に選択的に循環され、前記流体が、向きを変えられて前記植え付け柱の前記中空内部を下り、前記容器に戻され、
前記カバーが、
下向きの凹面を備えて前記容器の前記ベースから上方に弓形に延在し、
前記カバーが、変曲線を含み、前記カバーが前記上部開口部に向かって集中するにつれて、前記カバーが、前記変曲線を横切って凹面を変化させる、装置。
【請求項２】
前記ベースが前記容器の下部を画定し、前記カバーが前記容器の上部を画定し、前記流体カプラが前記容器の前記下部の中に延在していない、請求項１に記載の装置。
【請求項３】
前記カバーが、ドーム形状を有する、請求項１に記載の装置。
【請求項４】
水耕植物栽培装置であって、
流体を保持するための容器であって、前記容器が、ベース及びカバーを有し、前記ベースが上縁部を有し、前記カバーが、下縁部及び上部開口部を有し、前記上部開口部は前記下縁部から垂直方向にずれており、前記カバーの前記下縁部は、前記ベースの前記上縁部と取り外し可能に係合することができる、容器と、
中空内部を有する植え付け柱であって、前記植え付け柱は、前記容器のカバー内の前記上部開口部と取り外し可能に係合することができる、植え付け柱と、
前記植え付け柱の前記中空内部に少なくとも部分的に植物を受け入れるために、前記植え付け柱内に画定された少なくとも１つの植え付けポートと、
前記植え付け柱の前記中空内部を通り抜ける導管であって、前記植え付け柱が前記カバー内で前記上部開口と係合しているときに、前記導管は前記容器と流体連通している、導管と、
前記植え付け柱の頂部と取り外し可能に係合することができる流体分配器であって、前記流体分配器が前記植え付け柱の頂部と係合しているときに、前記導管と流体連通している流体分配器と、
前記容器内に位置付けられているポンプと、
前記カバー内で前記ポンプから前記上部開口部まで延在している供給線と、
前記カバー内で、前記上部開口部内に位置付けられ、前記上部開口部から下向きに延在している流体カプラであって、前記植え付け柱が前記カバー内で前記上部開口部と係合しているときに、前記流体カプラは、前記供給線を前記導管に流体連結するように構成されおり、前記流体カプラは前記カバーの前記下縁部より下に延在していない、流体カプラと、を備え、
前記カバーが前記ベースと係合しているとともに、前記流体分配器が前記植え付け柱と係合しているときに、前記流体が、前記容器から前記植え付け柱内の前記導管を通って前記流体分配器に選択的に循環され、前記流体が、向きを変えられて前記植え付け柱の前記中空内部を下り、前記容器に戻され、
前記カバーが、Ｓ字断面を有する、装置。
【請求項５】
前記植え付け柱及び前記カバー内の前記上部開口部が、第１の対応する入れ子要素の対及び第２の対応する入れ子要素の対を含む、請求項１に記載の装置。
【請求項６】
複数のローラをさらに備え、前記容器の前記ベースが、前記複数のローラ上に位置付けられている、請求項１に記載の装置。
【請求項７】
前記植え付け柱が、少なくとも第１のモジュール及び第２のモジュールをさらに備え、各モジュールが、
側壁と、
中空内部と、
前記中空内部に少なくとも部分的に植物を受け入れるために、前記側壁内に画定された少なくとも１つの植え付けポートと、
開放上端と、
底壁と、
前記底壁内に画定されている複数の排出孔と、
前記モジュールの前記底壁から前記開放上端まで延在するモジュール導管と、を含み、
前記第１のモジュールの前記底壁が前記第２のモジュールの前記開放上端と取り外し可能に係合するように構成されており、
前記第１モジュールの前記底部壁が、前記第２モジュールの前記開放上端と取り外し可能に係合しているときに、前記第１のモジュールの前記モジュール導管が、前記第２のモジュールの前記モジュール導管と取り外し可能に係合するように構成されている、請求項１に記載の装置。
【請求項８】
前記第１のモジュールの前記底壁及び前記第２のモジュールの前記開放上端が、対応する角度停止要素を含み、前記第１のモジュールの前記底壁が前記第２のモジュールの前記開放上端と取り外し可能に係合しているとき、前記角度停止要素が前記第１のモジュールと前記第２のモジュールとの間の相対回転を防止する、請求項７に記載の装置。
【請求項９】
前記角度停止要素が、それぞれのモジュールの少なくとも１つの植え付けポートと整列しており、これによって、前記第１のモジュールの前記底壁が前記第２のモジュールの前記開放上端と取り外し可能に係合しているときに、前記第１のモジュールの前記少なくとも１つの植え付けポートが、前記第２のモジュールの前記少なくとも１つの植え付けポートと垂直方向に整列している、請求項８に記載の装置。
【請求項１０】
それぞれのモジュールの前記底壁は、当該底壁を通るモジュール支持ロッド孔を含み、前記第１のモジュールの前記底壁が前記第２のモジュールの前記開放上端と係合しているときに、それぞれのモジュール支持ロッド孔は垂直方向に整列しており、
前記流体分配器の下壁は、前記下壁を通る流体分配器支持ロッド孔を含み、前記流体分配器が前記植え付け柱の前記上部と係合しているときに、前記流体分配器支持ロッド孔はそれぞれのモジュール支持ロッド孔と垂直方向に整列しており、
前記植え付け柱は、それぞれのモジュールの前記モジュール支持ロッド孔及び前記流体分配ロッド孔を通って延在する支持ロッドをさらに備えることにより、前記植え付け柱が前記容器の前記カバーと係合しているときに構造的完全性を提供し、前記流体分配器が、前記植え付け柱の頂部と係合している、請求項７に記載の装置。
【請求項１１】
水耕植物栽培装置であって、
流体を保持するための容器であって、前記容器が、ベース及びカバーを有し、前記ベースが上縁部を有し、前記カバーが、下縁部及び上部開口部を有し、前記上部開口部は前記下縁部から垂直方向にずれており、前記カバーの前記下縁部は、前記ベースの前記上縁部と取り外し可能に係合することができる、容器と、
中空内部を有する植え付け柱であって、前記植え付け柱は、前記容器のカバー内の前記上部開口部と取り外し可能に係合することができる、植え付け柱と、
前記植え付け柱の前記中空内部に少なくとも部分的に植物を受け入れるために、前記植え付け柱内に画定された少なくとも１つの植え付けポートと、
前記植え付け柱の前記中空内部を通り抜ける導管であって、前記植え付け柱が前記カバー内で前記上部開口と係合しているときに、前記導管は前記容器と流体連通している、導管と、
前記植え付け柱の頂部と取り外し可能に係合することができる流体分配器であって、前記流体分配器が前記植え付け柱の頂部と係合しているときに、前記導管と流体連通している流体分配器と、
前記容器内に位置付けられているポンプと、
前記カバー内で前記ポンプから前記上部開口部まで延在している供給線と、
前記カバー内で、前記上部開口部内に位置付けられ、前記上部開口部から下向きに延在している流体カプラであって、前記植え付け柱が前記カバー内で前記上部開口部と係合しているときに、前記流体カプラは、前記供給線を前記導管に流体連結するように構成されおり、前記流体カプラは前記カバーの前記下縁部より下に延在していない、流体カプラと、を備え、
前記カバーが前記ベースと係合しているとともに、前記流体分配器が前記植え付け柱と係合しているときに、前記流体が、前記容器から前記植え付け柱内の前記導管を通って前記流体分配器に選択的に循環され、前記流体が、向きを変えられて前記植え付け柱の前記中空内部を下り、前記容器に戻され、
前記容器の前記ベースが、前記カバーから下向き方向に弓形に延在する側壁を有する、装置。
【請求項１２】
水耕植物栽培装置であって、
流体を保持するための容器であって、前記容器が、ベース及びカバーを有し、前記ベースが上縁部を有し、前記カバーが、下縁部及び上部開口部を有し、前記上部開口部は前記下縁部から垂直方向にずれており、前記カバーの前記下縁部は、前記ベースの前記上縁部と取り外し可能に係合することができる、容器と、
中空内部を有する植え付け柱であって、前記植え付け柱は、前記容器のカバー内の前記上部開口部と取り外し可能に係合することができる、植え付け柱と、
前記植え付け柱の前記中空内部に少なくとも部分的に植物を受け入れるために、前記植え付け柱内に画定された少なくとも１つの植え付けポートと、
前記植え付け柱の前記中空内部を通り抜ける導管であって、前記植え付け柱が前記カバー内で前記上部開口と係合しているときに、前記導管は前記容器と流体連通している、導管と、
前記植え付け柱の頂部と取り外し可能に係合することができる流体分配器であって、前記流体分配器が前記植え付け柱の頂部と係合しているときに、前記導管と流体連通している流体分配器と、
前記容器内に位置付けられているポンプと、
前記カバー内で前記ポンプから前記上部開口部まで延在している供給線と、
前記カバー内で、前記上部開口部内に位置付けられ、前記上部開口部から下向きに延在している流体カプラであって、前記植え付け柱が前記カバー内で前記上部開口部と係合しているときに、前記流体カプラは、前記供給線を前記導管に流体連結するように構成されおり、前記流体カプラは前記カバーの前記下縁部より下に延在していない、流体カプラと、を備え、
前記カバーが前記ベースと係合しているとともに、前記流体分配器が前記植え付け柱と係合しているときに、前記流体が、前記容器から前記植え付け柱内の前記導管を通って前記流体分配器に選択的に循環され、前記流体が、向きを変えられて前記植え付け柱の前記中空内部を下り、前記容器に戻され、
前記流体分配器は、前記供給線を前記流体カプラに対して回転させ得る旋回軸受を備える、装置。
【請求項１３】
前記カバーは、上に向かって集中して、前記上部開口部を画定する上向き延長部分を形成し、前記上向き延長部分は、植え付け柱が入れ子となる垂直座を形成する、請求項１に記載の装置。
【請求項１４】
水耕植物栽培装置であって、
流体を保持するための容器であって、前記容器が、ベース及びカバーを有し、前記カバーが、前記ベースから上方に弓形になっており、前記ベースが前記容器の第１の部分を画定し、前記カバーが前記容器の第２の部分を画定する、容器と、
前記カバー内に画定されている上部開口部と、
前記容器の前記カバーの前記上記開口部より上で、互いの上に端部を合わせて積み重ねられた複数の植え付けモジュールであって、それぞれのモジュールが、側壁、中空内部、前記中空内部の中に少なくとも部分的に植物を受け入れるために、前記側壁に画定され、少なくとも１つの植え付けポート、開放上端、前記開放上端と取り外し可能に係合するように構成された底壁、前記底壁に画定された複数の排出孔、前記底壁に画定されたモジュール支持ロッド孔であって、それぞれのモジュールの前記モジュール支持ロッド孔は、互いに前記複数のモジュールの前記モジュール支持ロッド孔と垂直方向に整列している、モジュール支持ロッド孔、及び前記底壁から前記開放上端まで延在するモジュール導管を含み、前記複数のモジュールのそれぞれの前記モジュール導管は、隣接するモジュールの前記モジュールと流体連通して、前記容器と流体連通する植え付け柱導管を形成する、モジュールと、
前記複数の植え付けモジュールの上に位置付けられた流体分配器であって、前記流体分配器は前記導管と流体連通しており、前記流体分配器は、下壁、及び前記下壁に画定される流体分配器支持ロッド孔を含み、前記流体分配器支持ロッド孔は前記複数の植え付けモジュールのそれぞれの前記モジュール支持ロッド孔と垂直方向に整列している、流体分配器と、
前記複数の植え付けモジュールの、前記流体分配器支持ロッド孔、及び前記モジュール支持ロッド孔を通って延在する支持ロッドと、
を備え、
前記流体が、前記容器から前記植え付け柱導管を通って前記流体分配器に選択的に循環され、前記流体が、向きを変えられて前記植え付けモジュールのそれぞれの前記中空内部を下り、前記容器に戻される、装置。
【請求項１５】
複数のローラをさらに備え、前記ベースが、前記複数のローラ上に位置付けられている、請求項１４に記載の装置。
【請求項１６】
前記カバーが、前記上部開口部内に位置付けられ、かつ前記容器の前記第２の部分の中に下向きに延在しているが、前記容器の前記第２の部分を超えていない、流体カプラをさらに備える、請求項１４に記載の装置。
【請求項１７】
前記少なくとも１つの植え付けポートの中に位置付けられている少なくとも１つの種子かごをさらに備える、請求項１４に記載の装置。
【発明の詳細な説明】
【技術分野】
【０００１】  本開示は概して、植物栽培のための水耕機器、または土壌を使用するのとは対照的に、植物を生育するために強壮剤とも呼ばれ得る栄養豊富な水を使用する植物栽培システムに関する。
【背景技術】
【０００２】  本開示は、改良された水耕栽培システムに関する。従来の水耕栽培システムの一例は、Ｂｒｙａｎの米国特許第７，０５５，２８２号に見ることができ、参照によりその全体が本明細書に組み込まれる。従来の水耕植物栽培システムでは、容器が、植え付け柱の頂部に汲み上げられた栄養豊富な水を保持し、そこでその水は、下向きに向けらて、植え付け柱内に収容された植物の根に戻る。従来のシステムでは、栄養豊富な水を保持する容器は、典型的には、平坦なカバーと、ほぼ正方形、長方形、または円筒形の形状とを有していた。このような形状の容器に収容された水は、熱を不均一に分散させることがあり、したがって、不均一な温度分布が栄養豊富な水全体にわたって生成される可能性がある。【０００３】  水耕植物栽培システム用の水に含有される植物栄養素は、栽培システムで使用される栄養素の寿命及び有効性を延ばすのに役立ち得る最適な貯蔵温度及び条件を有し得る。容器全体の不定な温度分布は、容器内の高温及び低温スポットを生成し、容器の高温及び低温スポットの水の温度が栄養素の最適貯蔵条件から外れる場合、栄養素に悪影響を及ぼし得る。不適当な貯蔵条件は、栄養素の有効寿命及び有効性に悪影響を及ぼし、同様に、栽培システム内の植物成長に影響を及ぼす可能性がある。【０００４】  従来の水耕植物栽培システムの別の問題は、水耕システムの容器の蓋またはカバーがほぼ平坦であることである。このように、システムが稼動し、流体と蓋またはカバーとの間の容器内に湿気が蓄積すると、蓋またはカバーに水分が形成され、容器内部にカビが形成される可能性がある。容器内部のカビは、システム内の栄養素の品質に影響を与える可能性があり、容器の洗浄が必要になることもある。容器を洗浄するために、植え付け柱を容器から取り外す必要があり、植物への水の流れを止めなければならず、これは植物への栄養素の供給が中断されるので望ましくない。【０００５】  従来の水耕植物栽培システムの別の問題は、移動または再配置が困難であることである。従来のシステムは、システムを別の場所に移動させるために持ち上げる必要がある。再配置プロセス中、水は容器内に留まり、装置自体の重量に加えて持ち上げなければならないかなりの重量が加わる場合がある。システムによっては、水の重さが非常に負担になるため、栄養豊富な水を除去してシステムを持ち上げたり再配置したりする必要があり、その結果、栄養豊富な水が無駄になる。さもなければ、操作者は、システムを動かす前に、扱いやすい重量になるまで水が使い尽くされるのを待たなければならない。さらに、従来の解決策では、水耕システムを容器内に水が残った状態で持ち上げると、再配置プロセス中に水の位置が変わり、容器から溢れる可能性があり、再び容器内の栄養豊富な水を無駄にする可能性がある。【０００６】  したがって、水耕植物栽培システムの改善が必要である。
【発明の概要】
【０００７】  本開示の一態様は、流体を保持する容器を含む水耕植物栽培装置であり、この容器がベース及びカバーを有し、このベースが容器の第１の部分を画定し、このカバーが容器の第２の部分を画定する。上部開口部は、カバー内に画定され得る。中空内部を有する植え付け柱は、容器のカバー内の上部開口部の上に位置付けられ得る。少なくとも１つの植え付けポートを植え付け柱に画定することができ、植え付けポートは、植え付け柱の中空内部に少なくとも部分的に植物を受け入れるように構成されている。導管は、植え付け柱の中空内部を通り抜けることができ、導管は容器と流体連通している。植え付け柱の頂部に流体分配器を位置付けることができ、流体分配器は、導管と流体連通している。流体は、容器から植え付け柱の導管を通って流体分配器に選択的に循環することができ、流体は、向きを変えられて植え付け柱の中空内部を下り、容器に戻される。いくつかの実施形態では、カバーは、ベースから上方に弓形になり、丸みを帯びた壁を有し得、カバーは上部開口部に向かって集中する。
【０００８】  本開示の別の態様は、流体を保持するための容器を含む水耕植物栽培装置である。この装置は、複数のローラを含むことができ、容器が複数のローラ上に位置付けられている。植え付け柱は、中空内部を有することができ、この植え付け柱は容器の上に位置付けられている。植え付け柱の中空内部に少なくとも部分的に植物を受け入れるために、少なくとも１つの植え付けポートを植え付け柱内に画定することができ、導管は植え付け柱の中空内部を通り抜け、この導管は容器と流体連通している。植え付け柱の頂部に流体分配器を位置付けることができ、流体分配器は、導管と流体連通している。流体は、容器から植え付け柱内の導管を通って流体分配器に選択的に循環することができ、流体は、向きを変えられて植え付け柱の中空内部を下り、容器に戻される。
【０００９】  本開示の１つの目的は、水耕植物栽培装置の容器内の水または流体の温度を維持するのに役立つことである。
【００１０】  本開示の別の目的は、水耕植物栽培装置を移動するまたは再配置するプロセスを容易にするのに役立つことである。
【００１１】  本開示の別の目的は、水耕植物栽培装置の植え付け柱内の容器と導管との間の改良された密閉特性を提供することである。
【００１２】  本開示の多くの他の目的、利点及び特徴は、以下の図面及び好ましい実施形態の説明を検討すれば、当業者には容易に明らかになるであろう。
【図面の簡単な説明】
【００１３】
【図１】本開示の水耕植物栽培装置の一実施形態の斜視図である。
【図２】図１の水耕植物栽培装置の容器の断面図である。
【図３】図１の水耕栽培装置の断面図である。
【図４】図１の水耕栽培装置の分解立体図である。
【図５】図１の水耕植物栽培装置の植え付け柱用モジュールの上面図である。
【図６】図５のモジュールの断面図である。
【図７】導管を上り、植物に対して植え付け柱の空間に入る水の流れを示す、図１の水耕植物栽培装置の部分断面図である。
【図８】植え付け柱と容器との間の接続部を示す、図１の水耕植物栽培装置の部分断面図である。
【図９】図１の水耕植物栽培装置の植え付け柱における２つのモジュールの連結の詳細図である。
【図１０】本発明の種子かごの一実施形態の斜視図である。
【図１１】水耕植物栽培装置のモジュールに挿入された図１０の種子かごの断面図である。
【図１２】ほぼ球形の容器を有する水耕植物栽培システムの別の実施形態の斜視図である。
【図１３】水耕植物栽培システムの追加の実施形態の様々な図を示す。
【図１４】水耕植物栽培システムの追加の実施形態の様々な図を示す。
【図１５】水耕植物栽培システムの追加の実施形態の様々な図を示す。
【図１６】水耕植物栽培システムの追加の実施形態の様々な図を示す。
【図１７】水耕植物栽培システムの追加の実施形態の様々な図を示す。
【図１８】水耕植物栽培システムの追加の実施形態の様々な図を示す。
【図１９】水耕植物栽培システムの追加の実施形態の様々な図を示す。
【図２０】水耕植物栽培システムの追加の実施形態の様々な図を示す。
【図２１】水耕植物栽培システムの追加の実施形態の様々な図を示す。
【図２２】水耕植物栽培システムの追加の実施形態の様々な図を示す。
【００１４】
【発明を実施するための形態】
【００１５】  本発明の様々な実施形態の作成及び使用を以下に詳細に説明するが、本発明は、多種多様な特定の状況において具体化される多くの適用可能な発明概念を提供することを理解されたい。本発明の特許性のある範囲は、特許請求の範囲によって定義され、当業者に思い付く他の実施例を含み得る。本明細書で説明される特定の実施形態は、本発明を実施及び使用するための特定の方法の単なる例示であり、本発明の範囲を限定するものではない。当業者であれば、本明細書に記載の特定の装置及び方法に対する多数の等価物を認識するであろう。そのような等価物は、本発明の範囲内にあると考えられ、特許請求の範囲に含まれる。
【００１６】  本明細書に記載された実施形態の理解を容易にするために、いくつかの用語を以下に定義する。本明細書で定義される用語は、本発明に関連する分野の当業者によって一般的に理解される意味を有する。「ａ」、「ａｎ」、及び「ｔｈｅ」などの用語は、単数の実体のみを指すことを意図するものではなく、具体例が例示のために使用され得る汎用クラスを含む。本明細書における用語は、本発明の特定の実施形態を説明するために使用されるが、特許請求の範囲に記載されている場合を除き、その使用は本発明の範囲を限定しない。
【００１７】  図面では、分かりやすくするために、各図面に全ての参照番号が含まれているわけではない。さらに、「上部」、「下部」、「側部」、「頂部」、「底部」、「水平」、「垂直」などの位置的用語は、図面に示された向きのときの装置を指す。当業者であれば、装置は使用時に異なる向きをとれることを認識するであろう。
【００１８】  水耕植物栽培装置１０の一実施形態が図１〜４に示される。装置１０は、ベース１４及びカバー１６を有する容器１２を含み得る。ベース１４は、図２に示すように、容器１２の第１の部分１８を画定することができ、カバー１６は、容器１２の第２の部分２０を画定し得る。同様に、カバー１６は、ベース１４から概して上方に延びることができ、いくつかの実施形態では、カバー１６は、容器１２の第２の部分２０を画定するように、ベース１４のトップエッジ２２から上方に延在し得る。
【００１９】  いくつかの実施形態では、フィルゲージ１７は、カバー１６を通って容器１２の中に延び、このフィルゲージ１７は、容器１２内の栄養豊富な水のレベルを示す。いくつかの実施形態では、図１５及び２２に示すように、フィルゲージ１７は上方に延在しているロッドを備えたフロートとし得る。上方に延びているロッドは、カバー１６内の孔１７ａを通って延在することができ、フィルゲージ１７のロッドは、カバー１６内の孔１７ａを通って上下に移動可能であり、容器１２内の水位が変化すると、フィルゲージ１７のロッドがカバー１６の外へ延在する量は、それに応じて変化し得る。このように、フィルゲージは容器１２の外部から視認可能である。いくつかの実施形態では、フィルゲージ１７上のロッドは、容器１２内の栄養豊富な水のレベルと栄養豊富な水を容器１２内に追加するべきか否かを視覚的に表示できるカラーマーキングを含み得る。したがって、フィルゲージは、ユーザが容器１２の水位と容器１２を補充する必要があるか否かを容易に確認することを可能にする。いくつかの実施形態では、図１３に示すように、カバー１６はまた、ユーザが容器１２の内部を見て、容器１２の内部の水位を点検できるように、持ち上げられるアクセスポート蓋９３を含むこともできる。
【００２０】  再度図１〜４を参照して、カバー１６は上部開口部２８を含み得る。ベース１４から上方に延在しているカバー１６は、平坦なカバーを備えた従来の水耕システムと比較して、カバー１６の上部開口部２８をベース１４のトップエッジ２２から垂直方向にずらし得る。いくつかの実施形態では、カバー１６は、それらに限らないが、正四角柱、直角プリズム、円錐形、ピラミッド形、ドーム形、半球形など様々な形状を有することができ、各形状は、上部開口部２８をベース１４のトップエッジ２２から垂直方向にずらし得る。
【００２１】  植え付け柱２４は、上部開口部２８の上に位置付けられ得る。植え付け柱２４は、中空内部を有することができ、少なくとも１つの植え付けポート４６が植え付け柱２４内に画定され得る。植え付けポート４６は、植え付け柱２４の中空内部に少なくとも部分的に植物を受け入れるように構成され得る。装置１０の動作中に、水が植え付け柱２４の中空内部に位置する植物の根に接触し、その後、植物が植え付けポート４６から成長できるように、栄養豊富な水が植え付け柱２４を通って供給される。いくつかの実施形態では、植え付けポート４６は、植え付けポート４６が概して上方角度に配向された下壁を有するように、植え付け柱２４に対してある角度で配向することができ、これは植え付けポート４６への植物の挿入を容易にするとともに、植物を上方に成長させて植え付け柱２４から出ることを推奨する。いくつかの実施形態では、植え付けポート４６の配向角度は、植え付け柱２４の外壁に対して３０〜６０度である。
【００２２】  いくつかの実施形態では、図１及び図１０〜１２に示す種子かご４７は、植え付け柱２４内の植え付けポート４６の各々に位置付けられ得る。種子かご４７は、植物の種子を保持するために使用され得る。種子かご４７は、植え付けポート４６内の植物の根が種子かご４７を通り抜けて、栄養豊富な水を受け取れる植え付け柱２４の中に入り得る複数の開口部を有し得、種子かご４７はまた、植物自体を植え付けポート４６の外に導く。このように、種子かご４７は、植え付け柱２４の内部に植物が閉じ込められるのを防ぎ、さらに植物の根が栄養豊富な水を受け取れることを可能にする。
【００２３】  いくつかの実施形態では、ベース１４、カバー１６、及び植え付け柱２４は、樹脂材料などの耐熱材料で作られ得、耐熱材料が植物栽培システム１０内の一定の温度プロファイルを維持するのに役立ち、より一貫して効率的な植物の成長を支援し得る。いくつかの実施形態では、樹脂材料はポリスチレンであってもよい。ポリスチレンなどの耐熱性樹脂は、有益な熱特性を提供できるのと同時に、耐衝撃性及び軽量特性をも提供することができる。
【００２４】  場合によっては、カバー１６及び植え付け柱２４をベース１４から取り外す必要がある。ベース１４から上方に延在するカバー１６と、ベース１４の上縁部２２から垂直にずらした上部開口部２８とを有することにより、カバー１６及び植え付け柱２４をベース１４から分離して地面に置くことができ、上部開口部２８は、地面から垂直方向にずれており、水が植え付け柱２４から上部開口部２８を通って排出されるのを可能にし、植え付け柱２４内の水が植物を浸し過ぎるのを防ぐのに役立つ。
【００２５】  いくつかの実施形態では、図２に示すように、カバー１６は、ベース１４の垂直軸３２に対して上部開口部２８に向かって鋭角３０でベース１４から上方に延在するものとして一般に説明できる。いくつかの実施形態では、カバー１６は、ベース１４から上方に弓形になるまたは延在し、丸みを帯びた壁２６を有し、カバー１６及び丸みを帯びた壁２６は、カバー１６の上部開口部２８に向かって集中する。いくつかの実施形態では、カバー１６は、ベース１４から上方に弓形に延在し得、カバー１６は、曲がった、弓形の、湾曲した、または丸みを帯びた形状を有し得る。カバー１６がベース１４から上方に弓形になる実施形態では、カバー１６のそれぞれの接線３４と垂直軸３２との間に形成される角度３０は、カバー１６に沿って変化することができ、カバー１６が上部開口部２８に向かって延在している鋭角が、カバー１６に沿って変化し得ても、カバー１６は一般に、垂直軸３２に対して上部開口部２８に向かって鋭角３０で延在すると説明できる。他の実施形態では、カバー１６は、例えば、カバー１６が円錐形またはピラミッド形状を有する場合に、垂直軸３２に対して一定の鋭角で延在する実質的に真っ直ぐな壁を有し得る。
【００２６】  いくつかの実施形態では、カバー１６は、実質的にドーム形または丸みを帯びた形状を有し、ドーム形のカバー１６は、上部開口部２８に向かって集中する。いくつかの実施形態では、図２に示すように、カバー１６は、複合曲線を形成するＳ字形の断面３６を有することができ、この断面３６は、カバー１６を形成するように、垂直軸３２の周りで概ね回転可能である。そのような実施形態では、断面３６は、断面３６の凹面が変化する変曲点３８を有し得る。このように、カバー１６は、図１に示す変曲線４０を含むことができ、いくつかの実施形態では、カバー１６は、下向きの凹面を備えてベース１４から上方に弓形に延在することができ、カバー１６が上部開口部２８に向かって集中するにつれて、カバー１６は変曲線４０を横切って凹面を変化させ得る。カバー１６が上部開口部２８に向かって集中するにつれて上向きの凹面に変化させるカバー１６は、図２に示すように、上部開口部２８を画定する上向き延長部分４２を形成できる。上向き延長部分４２はまた、図３に示すように、入れ子式の植え付け柱４４のための垂直座を提供できる。
【００２７】  いくつかの実施形態では、図２に示すように、ベース１４は、カバー１６から下向き方向に弓形に延在する側壁４８を有し得る。側壁４８はまた、カバー１６の下縁部５０から弓形に内方に延在し得る。このように、ベース１４及びカバー１６は、いくつかの実施形態では、図１及び図１２に示すように、ほぼ球形を有する容器１２を形成できる。容器１２内に貯蔵されている栄養豊富な水５２は、最適な貯蔵温度を有し得る。球形の容器が、容器内の熱放散を最適化するのを支援するので、ほぼ球形の容器１２を有することにより、容器１２内に貯蔵された水５２の温度が均一な温度分布を維持できることを確実にするのに役立つ。
【００２８】  従来の水耕植物栽培システムの問題の一つは、そのようなシステムの容器がほぼ正方形または長方形であることである。このため、容器のコーナーに高温または低温スポットが発生する可能性がある。高温または低温スポットが栄養豊富な水の最適貯蔵温度範囲外になると、これらの高温スポットに位置する栄養素の有効性及び有効寿命に悪影響が及ぼされ、システムによる植物成長を阻害する可能性がある。ほぼ球形の容器を有することによって、容器内の高温または低温スポットを除去し、容器１２内の栄養豊富な水５２の全てを最適貯蔵温度に保つのに役立つ。
【００２９】  装置１０の動作中に、カバー１６と栄養豊富な水５２との間の空間は湿り、カバー１６の下側に水分が形成される可能性がある。ベース１４から上方に弓形になるか、またはドーム形状を有するカバー１６を有する別の潜在的な利点は、図２に示すように、容器１２内のカバー１６の下側に形成される水分をカバー１６に沿って下向きに押し進めて栄養豊富な水５２に戻し得ることである。
【００３０】  平坦なカバーを備えた従来の水耕システムでは、平坦なカバーの下側に水分が残り、最終的にカバーの下側にカビが生えることがある。容器内のカビは、栄養豊富な水の供給の質及びシステム内の植物の成長に悪影響を与える可能性がある。カビの成長はまた、容器をより頻繁に洗浄する必要があり、これは装置の動作を中断する必要があり、したがって植物の成長に悪影響を与える。ベース１４から上方へ下方に、そして水供給部５２の中へ弓形に延びるカバー１６上の水分を押し進めることは、カビの成長を減少させるのに役立ち、装置１０の洗浄時間及び停止時間を短縮するのに役立ち得る。
【００３１】  図１の断面図が図３に示されている。導管５４は、植え付け柱２４の中空内部５６を通り抜け得る。導管５４は、容器１２と流体連通し得る。植え付け柱２４の頂部に流体分配器５８を位置付け得、流体分配器５８は、導管５４と流体連通している。流体分配器５８は、複数の分散孔６０を有する下壁６２を含み得、それにより、流体分配器５８に入る水が、分散孔６０を通って植え付け柱２４の中、そして植え付け柱２４の中空内部５６に収容される植物上に分散することができる。このように、栄養豊富な水５２は、容器１２から植え付け柱２４内の導管５４を通って流体分配器５８に循環させることができ、水は、分散孔６０を通って流体分配器５８によって下向きに向きを変えられ、植え付け柱２４の中空内部５６を下り、上部開口部２８を通って容器１２に戻され得る。
【００３２】  図３に示すように、ポンプ６４は、容器１２内に位置付けられ得る。供給線またはホース６６は、ポンプ６４から植え付け柱２４の導管５４まで延在できる。このように、ポンプ６４は、栄養豊富な水を容器１２から導管５４内に、植え付け柱２４の頂部に押し込み得る。いくつかの実施形態では、カバー１６は、供給線６６と導管５４との間のシーリングジャケットとして機能するように、供給線６６を導管５４に効果的に接続し得る流体カプラ７６を含み得る。いくつかの実施形態では、流体カプラ７６は、植え付け柱２４またはカバー１６が回転すると、供給線がねじれたり、潜在的に捩れたりしないように、供給線６６をカプラ７６に対して回転させ得る旋回軸受または他の特徴を含み得る。このように、供給線６６は、旋回ホースを含み得る。
【００３３】  他の実施形態では、供給線６６は、ポンプ６４からスプリッターまで延在し得る。第２の供給線は、水を導管５４の中に上方に導くために、スプリッターから旋回コネクタまで延在し得る。排出線はまた、スプリッターから提供され得、この排出線は取り外し可能なプラグを含む。排出線は、容器１２から延在し得る。プラグが排出線上に位置付けられた状態で、ポンプ６４は、装置１０の通常の動作中に、第２の供給線を通って導管５４に水を導き得る。プラグが取り外された状態で、ポンプ６４は、所望の場合、水５２を容器１２から排出できるように、排出線を通して水を推し進め得る。
【００３４】  電源コード７７は、ポンプ６４から延在できる。ポンプ６４及び水耕植え付け装置１０に電力を供給するために、電源コード７７を配電網に差し込み得る。いくつかの実施形態では、下縁部５０は、電源コード７７がカバー１６を通過でき、同時にカバー１６がベース１４上に適切に着座し得るように、電源コード７７を受け入れ得るノッチを含み得る。いくつかの実施形態では、ポンプ６４に電力が供給されると、ポンプ６４は連続的に作動し得る。他の実施形態では、ポンプ６４は、所定の間隔で動作するようポンプ６４をプログラムできるように、タイマーを含み得る。ポンプ６４のタイマーは、装置１０が無人で動作することを可能にし得る。
【００３５】  いくつかの実施形態では、図８に示すように、カバー１６は、上部開口部２８内に位置付けられている流体カプラ７６を含み得る。流体カプラ７６は、植え付け柱２４が上部開口部２８上にまたは上に位置付けられているとき、供給線６６と導管５４とを一緒に流体連結するように構成され、流体カプラ７６は、導管５４と供給線６６との間の接合のためのシーリングジャケットとして機能する。カバー１６は、容器１２のベースから上方に延在するまたは弓形になっているので、流体カプラ７６は、上部開口部から容器１２の第２の部分２０の中に下向きに延在できる。平坦なカバーを備えた従来の水耕システムでは、このような流体カプラは、カバーを任意にベースから取り外して地面に置くと、カプラは地面に当たって潜在的に亀裂または破損し、これは、導管と流体供給線との間のシールの完全性に悪影響を与えるため、カバーの上部開口部の下まで延在し得なかった。
【００３６】  上方に延びている、または弓形になっているカバー１６によって、洗浄、保守などの間にカバー１６が任意に地面に置かれたとき、流体カプラ７６が亀裂または破損する危険なしに、流体カプラ７６が容器１２の第２の部分２０の中に延在することを可能にする。このように、カバー１６は、従来技術のものよりもかなり長い流体カプラ７６を含むことができ、導管５４と供給線６６との間の接合のためのより良好なシーリングジャケットを生成し得る。より良好なシールは、導管５４を通って流体分配器に汲み上げられる水の効率を高め得る。
【００３７】  図１の装置１０の分解図が図４に示されている。いくつかの実施形態では、植え付け柱２４は、少なくとも第１のモジュール７８及び第２のモジュール８０を含み得る。図５及び６に示すように、各モジュール７８及び８０は、中空内部５６、複数の排出孔８４を含む底壁８２、及び開放上端８６を含み得る。各モジュール７８及び８０は、モジュール７８及び８０の中空内部５６に少なくとも部分的に植物を受け入れるように構成された少なくとも１つの植え付けポート４６を含み得る。いくつかの実施形態では、モジュール７８及び８０は、４つの植え付けポート４６を含み得、１つの植え付けポート４６は、モジュール７８及び８０の各側面に位置する。このように、植物はモジュール７８及び８０の４つの側面全てから成長し得る。
【００３８】  図９で見ることができるように、第１のモジュール７８の底壁８２は、第２のモジュール８０の上部開放端８６と係合するように構成され得、第１及び第２のモジュール７８及び８０は、植え付け柱２４の少なくとも一部を形成するために、端部と端部形状との間で積み重ねられ得る。いくつかの実施形態では、モジュール７８及び８０の底壁８２は、モジュール７８及び８０の上部開放端８６に位置する植え付けポート４６と整列し得る複数の突出部８５を含むことができ、１つのモジュールが別のモジュール上に配置されたとき、突出部８５が植え付けポート４６の中を摺動し、底壁８２を上部開放端８６と係合させる。いくつかの実施形態では、突出部８５及び植え付けポート４６は、底壁８２及び上部開放端８６上に、対応する角度停止要素として機能し得、この角度停止要素は、モジュールが互いに積み重ねられて底壁８２が上部開放端８６と係合するとき、第１のモジュール７８と第２のモジュール８０との間の相対回転を防止する。
【００３９】  いくつかの実施形態では、図３及び図４に示すように、植え付け柱２４は、モジュール７８及び８０内の孔を通って延在する１つ以上の支持ロッド８１を含み得る。支持ロッド８１は、支持ロッド８１が植え付け柱２４に構造的完全性を提供し、モジュールが互いに崩壊したり移動したりすることを防止するのに役立つように、植え付け柱２４内の各モジュールを通って延在するように構成され得る。支持ロッド８１は、いくつかの実施形態ではステンレス鋼を含む、任意の適切な材料で作られてもよい。
【００４０】  図１４及び１９で見ることができるように、いくつかの実施形態では、装置１０は、支柱２４及び流体分配器５８を通る位置に支持ロッド８１を固定するために使用され得る複数のナット８３を含み得る。ナット８３を支持ロッド８１の上に挿入することができ、次に、支持ロッド８１は、ナット８３が支柱２４内の最下部モジュールの底壁８２に当接するまで、支柱２４を通って挿入され得る。いくつかの実施形態では、支持ロッド８１が支柱２４内の最下部モジュールに対して所定の位置に固定されるように、支柱２４の最下部モジュールの底壁８２の反対側に追加のナット８３を位置付け得る。その後、モジュールが直線的に一緒に係合されるように、モジュールを支持ロッド８１上に滑り込ませることにより、追加のモジュールを支柱２４上に位置付け得る。次いで、流体分配器５８は、流体分配器５８をさらに通って延在する支持ロッド８１とともに支柱２４の上部に位置付けられ得る。次に、ナット８３が、流体分配器５８の下壁６２の上側の支持ロッド８１上に位置付けられ得、支柱２４及び流体分配器５８が支持ロッド８１によって一緒に強固に接続され得る。２つ以上の支持ロッド８１を備えた実施形態では、上記の手順が各ロッド８１に対して繰り返され得る。
【００４１】  図６及び７を参照して、モジュール７８及び８０の各々は、底壁８２から上部開放端８６に延在しているモジュール導管８８を有し得る。モジュール導管８８は、第１のモジュール７８上のモジュール導管８８が第２のモジュール８０上のモジュール導管８８と係合し得るように、隣接するモジュール上のモジュール導管８８と係合するように構成され得る。複数のモジュール導管８８の係合により、植え付け柱２４を通って延在する前回の導管５４を形成し得る。したがって、モジュール７８及び８０は、植物がモジュール７８及び８０から成長するにつれて、必要に応じてモジュール７８及び８０が再編成され、かつ再積み重ねられ、植え付け柱２４から延在している植物の混雑または干渉を低減するように、互いの上に交換可能に積み重ねられて植え付け柱２４を形成し得る。追加のモジュールは、植え付け柱２４に容易に追加され、植え付け柱２４内で成長させ得る植物の量を増加させることもできる。
【００４２】  第１及び第２のモジュール７８及び８０が互いの上に積み重ねられた状態で、連続する導管５４は支柱２４を通って延在し得る。第１のモジュール７８の頂部に流体分配器５８を位置付けることができ、流体分配器５８は、導管５４と流体連通し得る。水が容器から導管５４を上り流体分配器５８に汲み上げられると、流体分配器５８内に水が集められ、分散孔６０を介して流体分配器５８から出て、植え付け柱２４及びモジュール７８及び８０の中空内部５６に流入する。流体分配器５８は、流体分配器５８に入る水を下向きに向きを変えて、水が分配孔６０を通って出ることを確実にし得る上部プレート９０を有し得る。水は、水が容器に戻るまで、モジュールの各々の底壁８２内の分配孔８４を通過することによって、モジュール７８及び８０と植え付け柱２４内の他の任意のモジュールとの間を通り得る。水が各モジュールに入ると、水は各モジュール７８及び８０の中空内部５６に受け入れられた植物の根９０上に垂れ落ち得、それにより、植物の成長を促進する。いくつかの実施形態では、中空内部５６は、それらに限らないが、空気、岩綿、または土壌の必要性を緩和できる任意の他の適切な植え付け媒体を含む、植え付け媒体を含み得る。
【００４３】  いくつかの実施形態では、図８に示すように、上部開口部２８及び植え付け柱２４は、第１の対応する入れ子要素の対９２、並びに第２の入れ子要素の対９４を有し得る。いくつかの実施形態では、上部開口部は第１の縁９６を含み得る。植え付け柱２４の底壁８２、または植え付け柱２４内の最下部モジュールの底壁８２は、植え付け柱２４が上部開口部２８の内側に入れ子状になるように、上部開口部の第１の縁９６の内側に入れ子にするように構成され得る。加えて、上部開口部２８は、第２の縁または溝９８を含むことができ、植え付け柱２４の底壁８２は、第２の縁または溝９８内に入れ子にするように構成され得る環状リブ１００をさらに含み得る。このように、植え付け柱２４及び上部開口部２８は、上部開口部２８上に植え付け柱２４の改良された着座を提供できる２対の入れ子要素９２及び９４を含み得る。入れ子要素９２及び９４はまた、上部開口部２８に対する植え付け柱２４の横方向の移動を防止するのに役立ち得、装置１０が使用されているとき、導管５４を通ってシールの完全性を維持するのに役立ち得る。いくつかの実施形態では、第１の縁９６は、植え付け柱２４の底壁８２、または植え付け柱２４の最下部モジュールから延在している突出部８５と係合し得る上部開口部の角度停止部１０２を含み得る。このように、上部開口部２８に対する植え付け柱２４の回転は、角度停止部１０２によって防止され得る。さらに別の実施形態では、支柱２４及びカバー１６の上部開口部２８上の１つ以上の入れ子要素９２及び９４との間に形成され得る摩擦または締り嵌めは、支柱とカバー１６との間のより確実な係合を提供するのに役立ち得る。
【００４４】  加えて、図１９に示すように、流体分配器５８及び支柱２４は、第３の入れ子要素９５の組を含み得、流体分配器５８の下壁６２に画定されたステップを含み得る。流体分配器５８の下壁６２内のステップは、流体分配器５８を支柱２４上に入れ子にするように、支柱２４内の最上部モジュールの上部開放端８６上に入れ子にしてもよい。いくつかの実施形態では、第３の入れ子要素９５はまた、流体分配器５８と支柱２４との間のより良好な係合を提供するために、流体分配器５８と支柱２４との間の締りまたは摩擦嵌めを形成し得る。
【００４５】  従来の水耕栽培システムの別の問題は、特に容器内に水が残っている状態で、移動や輸送が困難なことである。従来の容器は、地面に置く平坦な底を有する。従来のシステムを移動させるために、全体のシステムを持ち上げて新たな場所に移動させなければならない。水が容器内に存在する場合、システムはますます重くなり、システムを移動する前に水を排出する必要があり、それにより、栄養豊富な水を無駄にする。加えて、容器内の水とともにこのシステムを移動する場合、輸送中に水の位置が変わり、容器から溢れる可能性があり、栄養素を無駄にして操作者が清掃する面倒も生じさせる。
【００４６】  この問題を軽減するために、装置１０のいくつかの実施形態は、図１に示すように、容器１２に接続された複数のローラ１０４を含み得る。容器１２は、装置１０の重量がローラ１０４によって搬送されるように、ローラ１０４上に位置付けられ得る。このように、操作者が装置１０を移動させたいとき、操作者は、潜在的に重い装置１０を持ち上げる必要なく、かつ容器１２から水を排出させることなく、ローラ１０４によって装置１０を新たな場所に容易に動かす。いくつかの実施形態では、環状凹部１０６は、図２に示すように、容器１２の底に画定され得、環状凹部１０６は、ローラ１０４を受け入れるように構成されている。他の実施形態では、各ローラ１０４に対して容器１２の底に別個の凹所を画定し得る。いくつかの実施形態では、ローラ１０４を容器１２上に迅速に組み付け得るように、ローラ１０４を容器１２の中にスナップ嵌めできる。加えて、いくつかの実施形態では、ローラ１０４は、ローラ１０４及び装置１０が意図せずに動くことを防止するために作動させ得る１つ以上のストッパまたは調整可能なロックを備え得る。
【００４７】  ローラ１０４のさらなる利点は、容器１２が地面から離れることが可能なことである。このため、容器１２の底壁１０８は、ローラ１０４が容器に装着されているとき、装置１０の重量を支える必要はない。このように、底壁１０８の直径は、ベース１４の内側に湾曲する側壁４８に対応するために、より小さくされ得る。いくつかの実施形態では、容器１２の底壁１０８を丸くして、容器１２内の熱放散及び熱持続性を最適化するのに役立つ球形の容器１２をさらに提供する。
【００４８】  図１７で見ることができるように、いくつかの実施形態では、モジュール７８、８０の底壁８２に排出孔８４の列を画定することができ、この列は、導管５４から半径方向に延在している。いくつかの実施形態では、モジュール７８及び８０は、導管５４から半径方向に延在している８本の排出孔８４の列を含み得、各列が、３つの排出孔８４を含んでいる。
【００４９】  いくつかの実施形態では、１つ以上のロッド孔８７をモジュール７８及び８０の底壁８２に画定することができ、ロッド孔８７は、支持ロッドがロッド孔８７及び支柱を通って延在することを可能にする大きさである。
【００５０】  同様に、図２０で見ることができるように、いくつかの実施形態では、流体分配器５８の下壁６２に分散孔６０の列を画定することができ、この列は、導管５４から半径方向に延在している。いくつかの実施形態では、流体分配器５８は、導管５４から半径方向に延在している８本の分散孔６０の列を含み得、各列が、３つの分散孔６０を含んでいる。いくつかの実施形態では、１つ以上のロッド孔８７を流体分配器５８の下壁６２に画定することができ、ロッド孔８７は、支持ロッドがロッド孔８７及び流体分配器５８を通って延在することを可能にする大きさである。
【００５１】  いくつかの実施形態では、図２２に示すように、流体分配器５８が支柱２４の上に位置付けられているとき、支持ロッド８１が支柱２４及び流体分配器５８を通って延在できるように、支柱２４のモジュール内の支持孔８５を流体分配器５８のロッド孔８７と整列できる。そのような実施形態では、装置１０を通過する栄養豊富な水が概して直線状に下向きに流れるように、支柱２４のモジュール内の排出孔８４及び流体分配器内の分散孔６０を整列できる。
【００５２】  いくつかの実施形態では、図２２で見ることができるように、分散孔６０は、排出孔８４の直径よりも小さい直径を有し得る。一定量の栄養豊富な水または強壮剤が流体分配器５８内に収容されることが望ましくあり得、次いで、この栄養素豊富な水が分散孔６０を通って定期的に分散される。このように、概して小さい直径を有する分散孔６０は、流体分配器６０内に栄養豊富な水を蓄積させ得る。流体分配器５８内の栄養豊富な水が一定のレベルに達すると、その後、蓄積された栄養豊富な水の重量によって生成された圧力は、水が分散孔６０を通って均一に分散するようにさせる。分散孔６０の直径が大きすぎると、栄養豊富な水が流体分配器５８内に保持されず、栄養豊富な水が分散孔６０、ひいては装置１０を通って潜在的に均一に分散せず、装置１０内に収容される植物の成長に悪影響を及ぼし得る。
【００５３】  支柱２４の様々なモジュール内の排出孔８４が小さすぎると、栄養豊富な水が保持されて１つのモジュール内に貯留され、他の下部モジュール内に水不足が生じる可能性がある。このため、いくつかの実施形態での排出孔８４は、モジュール及び支柱２４を通る栄養豊富な水の無制限の流れを一般に可能にするような大きさにされ得る。このように、分散孔６０の直径よりも大きな直径を有する排出孔８４は、流体が装置１０を通って均一に分配され、同時に流体が支柱２４の全てのモジュールを通って自由に流れることを可能にするように、一旦流体が分散孔６０を通過すると、流体が流体分配器５８に蓄積されることを可能にする。いくつかの実施形態では、分散孔６０の直径は、約３ｍｍであってもよく、排出孔８４の直径は約６ｍｍであってもよい。
【００５４】  したがって、本発明の特定の実施形態が、新規で有用な改良された水耕植物栽培装置について記載されているが、そのような参照が本発明の範囲を限定するものと解釈されることは意図されていない。
【図１】
0006830669.tif 000002
【図２】
0006830669.tif 000003
【図３】
0006830669.tif 000004
【図４】
0006830669.tif 000005
【図５】
0006830669.tif 000006
【図６】
0006830669.tif 000007
【図７】
0006830669.tif 000008
【図８】
0006830669.tif 000009
【図９】
0006830669.tif 000010
【図１０】
0006830669.tif 000011
【図１１】
0006830669.tif 000012
【図１２】
0006830669.tif 000013
【図１３】
0006830669.tif 000014
【図１４】
0006830669.tif 000015
【図１５】
0006830669.tif 000016
【図１６】
0006830669.tif 000017
【図１７】
0006830669.tif 000018
【図１８】
0006830669.tif 000019
【図１９】
0006830669.tif 000020
【図２０】
0006830669.tif 000021
【図２１】
0006830669.tif 000022
【図２２】
0006830669.tif 000023